(57)【要約】【課題】  本発明は、周囲温度の変化でホール素子の出力電圧にバラツキが発生しても、このバラツキを適正に補正して、開口部の絞り量を高精度に設定することができるカメラ用絞り装置を提供すること。【解決手段】  本発明のカメラ用絞り装置は、３枚の光調整部材３５は、駆動リング２７の回転に連動して開口部２５ａを遮蔽する方向あるいは開放する方向に移動可能になっており、駆動リング２７にはセンサ磁石２８が配設され、このセンサ磁石２８と対向する側のベース部材２５には、ホール素子２４ａが配設され、センサ磁石２８の磁束に対応して出力されるホール素子２４ａの出力電圧を、予め制御部（図示せず）に入力している基準電圧に近づけるように補正するようにした。【選択図】        図１
2005156896.tif 000002
【特許請求の範囲】
【請求項１】
所定厚さのベース部材と、このベース部材に貫通形成された所定の口径からなる開口部と、アクチュエータの駆動力により前記開口部を遮蔽あるいは開放可能な光調整部材とを備え、
前記ベース部材には、前記アクチュエータにより一方向及び他方向に所定の回転角度範囲を回転可能な駆動リングが配設され、前記光調整部材は、前記駆動リングの回転に連動して前記開口部を遮蔽する方向あるいは開放する方向に移動可能になっており、前記駆動リングにはセンサ磁石が配設され、このセンサ磁石と対向する側の前記ベース部材には、ホール素子が配設され、
前記センサ磁石の磁束に対応して出力される前記ホール素子の前記出力電圧を、予め制御部に設定している基準電圧に近づけるように補正するようにしたことを特徴とするカメラ用絞り装置。
【請求項２】
前記補正は、前記光調整部材が前記開口部を開放または遮蔽した時に行うようにしたことを特徴とする請求項２記載のカメラ用絞り装置。
【請求項３】
前記駆動リングには、所定の回転角度範囲内で回転を規制可能な回転規制部が形成され、前記ベース部材には、前記回転規制部が当接可能な当接壁が形成され、前記駆動リングを回転させて前記回転規制部が前記当接壁に当接した時に前記出力電圧を前記補正するようにしたことを特徴とする請求項１または２記載のカメラ用絞り制御装置。
【請求項４】
前記補正は、シャッタ動作に連動して行うようにしたことを特徴とする請求項１乃至３のいずれかに記載のカメラ用絞り装置。
【発明の詳細な説明】
【技術分野】
【０００１】
本発明は、カメラ用絞り装置に係わり、被写体像を撮影するのに好適なカメラ用絞り装置に関する。
【背景技術】
【０００２】
従来のカメラ用絞り装置を、図５、図６に基づいて説明する。従来のカメラ用絞り装置は、図５に示すように、円形の開口部１ａが形成されたシャッタ地板１の下部には、円形の開口部２ａを有するフィルタ地板２が積層配置され、このフィルタ地板２とシャッタ地板１との間に、絞り羽根である第１羽根体３および第２羽根体４が配設されている。
【０００３】
前記第１羽根体３には、開口部１ａ、２ａの絞り機能をなす３角形状の絞り縁部３ａが形成され、第２羽根体４には、第１羽根体３の絞り縁部３ａと逆向きに形成された３角状の絞り縁部４ａが形成されている。
また、後述するロータ５ａの回転を伝達するために、第１羽根体３には、第１駆動ピン３ｂが、第２羽根体４には、第２駆動ピン４ｂがそれぞれ立設されている。
また、シャッタ地板１の一方の面側には、それぞれの絞り縁部３ａ、４ａが交叉する図示上下方向に第１、第２羽根体３、４を駆動するアクチュエータ５が配設されている。
【０００４】
前記アクチュエータ５は、回動中心の所定角度範囲に亘って回動自在のロータ５ａと、このロータ５ａを回動駆動可能な励磁コイル（図示せず）と、磁束の変化に対応して出力電圧が変化しロータ５ａの回転方向及び回転角度を検出可能なホール素子（図示せず）とにより構成されている。
そして、ロータ５ａには、アーム状の駆動腕５ｂが延出形成され、この駆動腕５ｂが揺動レバー６の第１長孔６ａに係合され、ロータ５ａが所定の回転角度回転によって、揺動レバー６が時計回り方向及び反時計回り方向に揺動するようになっている。
また、揺動レバー６には、第１長孔６ａ以外に、図示右側の一端部側に第１羽根体３の第１駆動ピン３ｂが係合可能な第２長孔６ｂと、図示左側の他端部側に第２羽根体４の第２駆動ピン４ｂが係合可能な第３長孔６ｃとが形成されている。
【０００５】
このような構成のカメラ用絞り装置を、例えばデジタルムービーカメラに搭載した場合の動作は、まず、撮影前にシャッタボタンを軽く操作する第１のシャッタ動作おいて、周囲の明るさに対応した絞り量に開口部１ａ、２ａがなるように、アクチュエータ５を駆動させて、図５に示すロータ５ａを時計回り方向に回動させる。すると、駆動腕５ｂが第１長孔６ａの内面を摺動することにより、揺動レバー６が時計回り方向に回動する。
そして、第２長孔６ｂに係合する第１駆動ピン３ｂが図示下方に押し下げられて第１羽根体３が下方側に移動する。
また、第３長孔６ｃに係合する第２駆動ピン４ｂが図示上方に押し上げられて第２羽根体４が上方に移動する。
【０００６】
また、ロータ５ａが回転することにより磁束の変化に対応して、ホール素子から出力される出力電圧が変化する。この変化する出力電圧がカメラ側に予め制御マップとして入力されている絞り量と合致すると、電磁アークチュエータ５の駆動が停止してロータ５ａの回転が停止する。
このことにより、図６に示すように、第１、第２羽根体３、４の絞り縁部３ａ、４ａで形成する開口部１ａ（２ａ）の絞り量が、撮影に最適な値となって、撮像素子（ＣＣＤ）により動画が撮影される。
【特許文献１】特開２００１−２８１７２５号公報
【発明の開示】
【発明が解決しようとする課題】
【０００７】
しかし、前述したようなホール素子は、周囲の温度変化により、図７に示すように、絞り量に対応する出力電圧がＡ１、Ａ２のようにバラツキが発生する。
このような周囲の温度変化によって出力電圧にバラツキが発生すると、第１、第２羽根体３、４の絞り縁部３ａ、４ａで形成する開口部１ａ（２ａ）の絞り量がバラツクおそれがあった。
本発明は、前述したような課題に鑑みてなされたものであり、周囲の温度変化でホール素子の出力電圧にバラツキが発生しても、このバラツキを適正に補正して、開口部の絞り量を高精度に設定することができるカメラ用絞り装置を提供することを目的とする。
【課題を解決するための手段】
【０００８】
前記課題を解決するための第１の解決手段として本発明のカメラ用絞り装置は、所定厚さのベース部材と、このベース部材に貫通形成された所定の口径からなる開口部と、アクチュエータの駆動力により前記開口部を遮蔽あるいは開放可能な光調整部材とを備え、
前記ベース部材には、前記アクチュエータにより一方向及び他方向に所定の回転角度範囲を回転可能な駆動リングが配設され、前記光調整部材は、前記駆動リングの回転に連動して前記開口部を遮蔽する方向あるいは開放する方向に移動可能になっており、前記駆動リングにはセンサ磁石が配設され、このセンサ磁石と対向する側の前記ベース部材には、ホール素子が配設され、前記センサ磁石の磁束に対応して出力される前記ホール素子の前記出力電圧を、予め制御部に設定している基準電圧に近づけるように補正するようにしたことを特徴とする。
【０００９】
また、前記課題を解決するための第２の解決手段として、前記補正は、前記光調整部材が前記開口部を開放または遮蔽した時に行うようにしたことを特徴とする。
【００１０】
また、前記課題を解決するための第３の解決手段として、前記駆動リングには、所定の回転角度範囲内で回転を規制可能な回転規制部が形成され、前記ベース部材には、前記回転規制部が当接可能な当接壁が形成され、前記駆動リングを回転させて前記回転規制部が前記当接壁に当接した時に前記出力電圧を前記補正するようにしたことを特徴とする。
【００１１】
また、前記課題を解決するための第４の解決手段として、前記補正は、シャッタ動作に連動して行うようにしたことを特徴とする。
【発明の効果】
【００１２】
本発明のカメラ用絞り装置は、センサ磁石の磁束に対応して出力されるホール素子の出力電圧を、予め制御部に設定している基準電圧に近づけるように補正するようにしたので、周囲の温度変化が起きても、ホール素子の出力電圧を基準で圧に近い一定とすることができ、開口部の絞り量をバラツキのない高精度に行うことができる。
【００１３】
また、出力電圧の補正は、光調整部材が開口部を開放または遮蔽した時に行うようにしたので、出力電圧が最大値または最小値で行うことができ、更に絞り量のバラツキを少なくすることができる。
【００１４】
また、駆動リングを回転させて駆動リングに形成した回転規制部がベース部材の当接壁に当接した時に出力電圧を補正するようにしたので、出力電圧の補正する位置をバラツキのない位置で行うことができる。
【００１５】
また、補正は、シャッタ動作に連動して行うようにしたので、カメラの操作性が良い。
【発明を実施するための最良の形態】
【００１６】
以下、本発明に関するカメラ用絞り装置の実施の形態を図１〜図１０に基づいて説明する。図１は本発明に関するカメラ用絞り装置の分解斜視図であり、図２〜図４は本発明に係わる光調整部材の動作を説明する平面図である。
【００１７】
まず、本発明の実施の形態のカメラ用絞り装置電気は、図１に示すように、最下部には、後述する駆動リング８を所定角度往復回動駆動させるための駆動源であるアクチュエータ２１が配設されている。
このアクチュエータ２１は、樹脂材料からなる支持部材２２を有し、この支持部材２２は、外周面の側壁２２ａが円弧状に形成されている。また、支持部材２２は、側壁２２ａの内周面側に、２つのコイル収納部２２ｂが、中央部の仕切壁２２ｃを挟んで左右に２つ隣り合って形成されている。
【００１８】
前記側壁２２ａの図示手前側と奥側および仕切壁２２ｃからは、それぞれ上方に突出して鈎状に形成れたスナップ係支部２２ｄがそれぞれ形成されている。
前記スナップ係支部２２ｄは、後述するベース部材２５にスナップ係支可能になっている。また、２つのコイル収納部２２ｂには、コイル群２３が取り付けられている。前記コイル群２３は、磁性材料からなり外形が略Ｕ字状に形成されたヨーク２３ａと、このヨーク２３ａにコイル２３ｂの空芯部２３ｃが挿入されてコイル群２３がコイル収納部２２ｂにそれぞれ取り付けられて、アクチュエータ２１が組み立てられている。
また、アクチュエータ２１から所定寸法離れた位置で、後述するセンサ磁石２９と対向する位置に、検出センサ２４が配設されている。この検出センサ２４は、ホール素子２４ａと、このホール素子２４ａを載置したＦＰＣ（フレキシブルプリント基板）からなるセンサ基板２４ｂとで構成されている。
【００１９】
また、アクチュエータ２１は、外形が略円形状のベース部材２５の裏面に、それぞれのスナップ係支部２２ｄがスナップ係支されて取り付けられている。
前記ベース部材２５は、樹脂材料等からなり、図１、図２に示すように、外形が略円形状に形成され、その中心部には、所定寸法の口径からなる円形状の開口部２５ａが貫通形成され、この開口部２５ａの周囲には、表面が平坦状でリング状に突出形成された羽根支持面２５ｂが形成されている。
また、ベース部材２５は、外周部に所定の幅寸法と高さ寸法で周壁２５ｃが形成されている。
【００２０】
また、羽根支持面２５ｂと周壁２５ｃとの間には、所定深さで彫り込みされたリング状の溝部２６が形成され、この溝部２６に後述する駆動リング２０が回動自在に位置するようになっている。
また、図１に示す溝部２６の底面には、図示左側に所定の幅寸法と長さ寸法で円弧状に形成された駆動孔２６ａと、図示手前側に駆動孔２６ａより若干細幅に形成されたセンサ孔２６ｂとが貫通形成されている。
また、図示右側の溝部２６からは、後述する光調整部材３５を回動自在に支持する羽根支持部である第１、第２、第３のピン２６ｃ、２６ｄ、２６ｅが、それぞれ１２０°の等間隔の位置に所定の太さと高さ寸法で突出形成されている。
【００２１】
また、ベース部材２５の図示右側に形成した羽根支持部である第１のピン２６ｃの図示下方近傍には、第１のピン２６ｃと太さが略同じ第４のピン２６ｆが突出形成され、この第４のピン２６ｆの図示下方近傍に、第４のピン２６ｆより太く形成された第５のピン２６ｇが突出形成されている。
また、ベース部材２５には、第１のピン２６ｃの図示上方側に、羽根支持面２５ｂより高く形成されたフィルタ支持面２６ｈが設けられ、このフィルタ支持面２６ｈからは、後述するＮＤフィルタ３７を回動自在に支持する所定太さのフィルタ支持部２６ｊが突出形成されている。
また、ベース部材２５には、周壁２５ｃの図示左側が凹み形成されて、後述する駆動リング２７の一方と他方の回転規制部２７ｅ、２７ｆが当接可能な第１、第２当接壁２６ｋ、２６ｍが形成されている。
【００２２】
また、溝部２６には、溝部２６のリング形状に倣ってリング状に形成された駆動リング２７が、所定の角度範囲内を回転自在に配設されている。前記駆動リング２７には、１２０°の等間隔の位置に３本の第１、第２、第３駆動ピン２７ａ、２７ｂ、２７ｃが所定高さで突出形成されている。
また、駆動リング２７の図示右側の第１駆動ピン２７ａの外側には、ロック解除ピン２７ｄが突出形成されている。また、駆動リング２７は、図示左側を突出させて一方の回転規制部２７ｅと他方の回転規制部２７ｆとが形成されている。
【００２３】
また、駆動リング２７の下面側には、略円弧状で所定の幅寸法の駆動磁石２８が接着剤等で固着され、この駆動磁石２８の図示左側には、駆動磁石２８より幅狭で略円弧状のセンサ磁石２９が接着剤等で固着されている。
前記駆動磁石２８は、下面に一方の磁極が着磁され、下面に他方の磁極が着磁されている。また、センサ磁石２９は、円弧状の一端部側に一方の磁極が着磁され、他端部側に他方の磁極が着磁されている。
【００２４】
このような駆動リング２７は、駆動磁石２８を駆動孔２６ａに、センサ磁石２９をセンサ孔２６ｂにそれぞれ位置合わせして、ベース部材２５の溝部２６に載置されている。
前記駆動磁石２８と対向するベース部材２５の下方側には、アクチュエータ２１がスナップ係支可能になっている。そして、ベース部材２５にアクチュエータ２１をスナップ係支すると、駆動磁石２８と対向する位置に所定寸法のギャップを有してコイル２３ｂが位置するようになっている。
この状態の一対のコイル２３ｂは、一方のコイル２３ｂに、所定の電流を通電することにより発生する磁束が、駆動磁石２８を反発する方向に作用し、他方のコイル２３ｂに前記一方のコイル２３ｂと反対方向の電流を通電することにより発生する磁束が、駆動磁石２８を吸着する方向に作用する。このことにより、駆動リング２７が一方向に所定の回転角度範囲内を回転するようになっている。
また、それぞれのコイル２４への通電方向を逆にすることにより、駆動リング２７は一方向と反対の他方向に回転するようになっている。
【００２５】
また、センサ磁石２９と対向するベース部材２５の下面側には、検出センサ２４がネジ（図示せず）等で取り付け可能になっている。
前記検出センサ２４をベース部材２５にネジ等で取り付けると、ホール素子２４ａがセンサ磁石２９と所定のギャップを有して対向するようになっている。
そして、駆動リング２７が回転すると、ホール素子２４ａの出力電圧が変化し、この出力電圧の変化をカメラ（図示せず）側の制御部が検出して、駆動リング２７の回転角度を検出可能になっている。
【００２６】
また、溝部２６に載置した駆動リング２７の図示左側の上面には、板状で平滑な摺動面３０ａを有する羽根受け板３０が配設されている。前記摺動面３０ａは、ベース部材２５の羽根支持面２５ｂより若干に高くなるように配設され、摺動面３０ａ上を後述する光調整部材３５の一部が摺動可能になっている。
また、ベース部材２５の第１のピン２６ｃ〜第３のピン２６ｅには、それぞれ第１バネ部材３１が挿入支持されている。また、第４のピン２６ｆには、第２バネ部材３２が、第５のピン２６ｇには、第３バネ部材３３がそれぞれ挿入支持されている。
前記第２バネ部材３２を挿入支持した第４のピン２６ｆには、ロック部材３４の嵌合孔３４ａが嵌合支持されている。前記ロック部材３４は、図３に示すように、外周部側が第３バネ部材３３に弾性付勢されて、反時計回り方向（内向き）に常時付勢されている。
【００２７】
また、ロック部材３４は、図３に示すように、図示上方端部にロックピン３４ｂが突出形成され、このロックピン３４ｂが、ベース部材２５の開口部２５ａから待避した状態の後述するＮＤフィルタ３７のロック部３９に弾接して、ＮＤフィルタ３７の動きをロック可能になっている。
即ち、ロック部材３４は、後述するＮＤフィルタ３７が開口部２５ａから待避した状態でＮＤフィルタ３７の動きをロック可能なロック機構となっている。
【００２８】
また、羽根支持部である第１〜第３のピン２６ｃ〜２６ｅには、ステンレス板等からなる薄板状の絞り羽根である複数の光調整部材３５が回動自在に支持されている。前記それぞれの光調整部材３５は、第１〜第３のピン２６ｃ〜２６ｅに支持可能な支持孔３５ａが一端部側に形成され、この支持孔３５ａと対向する他端部側に面積の大きな羽根部３５ｂが形成され、この羽根部３５ｂで開口部２５ａを遮蔽可能になっている。
また、羽根部３５ｂには、支持孔３５ａ寄りの位置に、スリット状の長孔３５ｃが形成され、この長孔３５ｃに駆動リング２７の駆動ピン２７ａが嵌合するようになっている。
【００２９】
そして、３枚の光調整部材３５は、それぞれの支持孔３５ａを第１〜第３のピン２６ｃ〜２６ｅに支持した状態で、それぞれの羽根部３５ｂが互いに重なり合うように配設されている。
前記３枚の光調整部材３５は、アクチュエータ２１のコイル２３ｂに通電して、駆動リング２７が右回転あるいは左回転することにより、羽根支持部である第１〜第３駆動ピン２７ａ〜２７ｃが、それぞれの長孔３５ｃの内面に沿って摺動して、３枚の光調整部材３５が、開口部２５ａを遮蔽する方向あるいは開口部を開放する方向に移動可能になっている。
【００３０】
また、駆動リング２７が反時計回り方向に回転すると、３枚の光調整部材３５の羽根部３５ｂが開口部２５ａを開放する方向に回動する。このことにより、図２に示すように、開口部２５ａを開放した開放状態になるようになっている。
また、駆動リング２７が時計回り方向に回転すると、３枚の光調整部材３５の羽根部３５ｂが開口部１８ａを遮蔽する方向に回動する。
このことにより、３枚の羽根部３５ｂが重なり合って、光調整部材３５が開口部２５ａを遮蔽した遮蔽状態（図示せず）になるようになっている。
【００３１】
また、それぞれの光調整部材３５は、第１〜第３のピン２６ｃ、２６ｅに挿入支持された第１バネ部材３１に、支持孔３５ａ近傍が掛け止めされて開口部２５ａを遮蔽する方向に弾性付勢されている。
そのために、光調整部材３５が開口部２５ａを遮蔽する方向あるいは開放する方向に回動時に、駆動リング２７の第１〜第３駆動ピン２７ａ〜２７ｃと、それぞれの長孔３５ｃとの間で発生するバックラッシュを防止できるようになっている。
【００３２】
また、３枚の光調整部材３５上には、ステンレス等からなる薄板の仕切板３６が配設されている。前記仕切板３６は、外形が略円形状の基部３６ａを有し、この基部３６ａの外周部には、幅寸法がそれぞれ異なる３つの突出部３６ｂ、３６ｃ、３６ｄが外向きに形成され、これらの突出部３６ｂ、３６ｃ、３６ｄが、ベース部材２５の周壁２５ｃ内部に位置決めされて固定可能になっている。
また、仕切板３６の基部３６ａの中心部には、ベース部材２５の開口部２５ａと中心が同じで開口部２５ａより若干開口径が大きい開口部３６ｅが形成されている。
また、基部３６ａには、駆動リング２７の３本の駆動ピン２７ａが位置した状態で駆動リング２７が所定量回動可能な円弧状の長孔３６ｆが１２０°の等間隔の位置に形成されている。
【００３３】
また、仕切板３６からは、ベース部材２５のフィルタ支持部２６ｊが上方に所定高さで突出するようになっており、このフィルタ支持部２６ｊにＮＤフィルタ３７が回動自在に支持されている。
前記ＮＤフィルタ３７は、図２に示すように、例えば樹脂材料で形成された薄板状の支持板３８を有し、この支持板３８の図示右側の一端部寄りに、ベース部材２５のフィルタ支持部２６ｊに回動自在に嵌合可能な支持孔３８ａが形成され、この支持孔３８ａの外側端部が部分的に凹状に形成されてロック部３９が設けられている。そして、ロック部３９にロック部材３４のロックピン３４ｂが係合すると、ＮＤフィルタ３７がロックされて動きが規制されるようになっている。
【００３４】
また、ＮＤフィルタ３７には、支持板３８の図示左側の他端部側に、ＮＤ（ｎｅｕｔｒａｌ  ｄｅｎｓｉｔｙ）フィルタからなるフィルタ部４０が接着剤等で固着されている。前記フィルタ部４０がベース部材２５の開口部２５ａを覆うことによって、開口部２５ａを通過する光量が第１の露光状態より少ない第２の露光状態になるようになっている。
また、ＮＤフィルタ３７は、フィルタ部４０と支持孔３８ａとの間の支持板３８に、内面にカカム孔３８ｂが形成されている。このカム孔３８ｂに、光調整部材３５の長孔３５ｃに挿通して係合する駆動リング２７の図示右側の第１駆動ピン２７ａが係合するようになっている。
【００３５】
そして、ＮＤフィルタ３７のフィルタ部４０が開口部２５ａを覆った状態で、駆動リング２７を所定角度反時計回り方向に回転することで、移動する駆動ピン２７ａがカム孔ｂの内面に沿って摺動して、フィルタ部４０が開口部２５ａから待避する方向に移動するようになっている。
また、ＮＤフィルタ３７は、支持板３８の図示右側端部で、ロック部３９の上部が切り欠きされて、第２バネ部材３２が掛け止めされるようになっている。
そのためにＮＤフィルタ３７は、第２花部材３２に弾性付勢されて、フィルタ部４０がベース部材２５の開口部２５ａを遮蔽する方向に常時付勢されている。
【００３６】
このような構成のＮＤフィルタ３７は、仕切板３６を介して光調整部材３５上に配置されているので、ＮＤフィルタ３７と光調整部材３５の両方が同時に回動したとしても、互いに干渉することがない。
また、ベース部材２５の周壁２５ｃ内には、駆動リング２７および３枚の光調整部材３５、仕切板３６、ＮＤフィルタ３７が積層配置され、ＮＤフィルタ３７の上には、ＮＤフィルタ３７を覆う金属板からなるカバー部材４１が配設されている。
【００３７】
前記カバー部材４１には、ベース部材２５の開口部１８ａと対向する中央部に開口部２５ａより若干大きめの開口部４１ａが貫通形成されている。
そして、カバー部材４１の外周部の一部に半円状の凹部４１ｂが形成され、この凹部４１ｂにＮＤフィルタ３７の係支部３９が位置するようになっている。
また、カバー部材４１の外周部には、下方に折り曲げ形成して支持部４１ｃが設けられ、この支持部４１ｃがベース部材２５にスナップ係支可能になっている。
【００３８】
このような構成の本発明のカメラ用絞り装置の組立は、まず、アクチュエータ２１をスナップ係支すると共に、検出センサ２４をネジ（図示せず）等取り付けた状態のベース部材２５の上方から、駆動リング２７、ロック部材３４、および３枚の光調整部材３５、仕切板３６、ＮＤフィルタ３７等を順番に載置する。
その後、ＮＤフィルタ３７の上方からカバー部材４１をかぶせて、カバー部材４１をベース部材２５にスナップ係支することにより、本発明のカメラ用絞り装置が組み立てられている。
また、カメラ側の制御部（図示せず）には、周囲温度が例えば常温の時におけるホール素子２４ａの出力電圧が、図７の実線で示すような基準電圧Ｂとして予め入力されている。
【００３９】
このように組み立てられた本発明のカメラ用絞り装置を用いたカメラ（図示せず）の絞り動作を説明すると、まず、最初に操作者が撮影前に、例えばシャッタボタン（図示せず）を軽く操作して第１のシャッタ動作を行う。
このことにより、アクチュエータ２１の一対のコイル２３ｂに異なる方向の電流が通電されて、一対のコイル２３ｂに異なる方向の磁束が発生する。
そして、互いに異なる磁極が励磁された一対のヨーク２３ａによって、駆動リング２７が例えば反時計回り方向に回転すると、図２に示すように、駆動リング２７は、一方の回転規制部２７ｅがベース部材２５の第１当接壁２６ｋに当接して回転が停止する。
この時の３枚の光調整部材３５は、開口部２５ａを開放した開放状態となっている。
【００４０】
前記光調整部材３５が開放状態となった時のホール素子２４ａは、図１に示すセンサ磁石２９の左側の一方の磁極と対向した状態となって、図７に示す出力電圧が、当接線Ｃと交叉するＭａｘ値になっている。
そして、撮影時の周囲温度が常温より高い場合は、ホール素子３４ａの出力電圧が破線で示すＡ１のようになるが、この出力電圧Ａ１と基準電圧Ｂとを制御部が対比して、予め入力している基準電圧Ｂに近づけるように制御部で出力電圧を補正する。
その後、ホール素子２４ａからの出力電圧が被写体の明るさに対応する値になるまで駆動リング２７を時計回り方向に回転させる。
【００４１】
このことにより、撮影しようとしている被写体の明るさに対応して、例えば図３に示すように、開口部２５ａの絞り量が最適の露光状態とすることができる。
また、周囲温度が常温より低い場合には、ホール素子３４ａの出力電圧が図７に示すＡ２のようになるが、出力電圧がＡ２の場合でも、基準電圧Ｂに近づけるように制御部で補正するようになっている。
【００４２】
前記開口部２５ａが最適の露光状態となると、アクチュエータ２１のコイル２４ａへの通電を停止して駆動リング２７の回転がストップする。
そして、磁力が無くなったヨーク２３ａの磁力が無くなって、駆動磁石２８の磁力で駆動磁石２８がヨーク２３ａに吸引される。
このことにより、最適の露光状態で駆動リング２７の回転を規制することができる。
そのために、動画等を連続して撮影する場合でも、駆動リング２７の動きを規制できるので、最適の露光状態で被写体を撮影することができる。
【００４３】
前述したような本発明のカメラ用絞り装置は、環境条件の違いで周囲温度が高い場合、あるいは低い場合でも、開口部２５ａを最適の露光状態に絞り込んで、最適な撮影を行うことができる。
尚、本発明の実施の形態では、アークチュエータ２１を駆動リング２７に対して非接触タイプで説明したが、駆動リング２７に駆動源を接触させて直接駆動させるようなアクチュエータ（図示せず）でも良い。
【図面の簡単な説明】
【００４４】
【図１】本発明に関するカメラ用絞り装置の分解斜視図である。
【図２】本発明に係わる光調整部材の動作を説明する平面図である。
【図３】本発明に係わる光調整部材の動作を説明する平面図である。
【図４】本発明の係わる光調整部材の動作を説明する平面図である。
【図５】従来のカメラ用絞り装置の動作を説明する平面図である。
【図６】従来のカメラ用絞り装置の動作を説明する平面図である。
【図７】ホール素子の出力電圧を説明するグラフである。
【符号の説明】
【００４５】
２１  アクチュエータ
２２  支持部材
２３  検出センサ
２３ａ  ヨーク
２３ｂ  コイル
２４  検出センサ
２４ａ  ホール素子
２５  ベース部材
２６  溝部
２７  駆動リング
２８  駆動磁石
２９  センサ磁石
３０  羽根受け板
３１  第１バネ部材
３２  第２バネ部材
３４  ロック部材
３５  光調整部材
３６  仕切板
３７  ＮＤフィルタ
３８  支持板
４０  フィルタ部
４１  カバー部材
【図１】
2005156896.tif 000003
【図２】
2005156896.tif 000004
【図３】
2005156896.tif 000005
【図４】
2005156896.tif 000006
【図５】
2005156896.tif 000007
【図６】
2005156896.tif 000008
【図７】
2005156896.tif 000009